(57)【要約】  本発明は、シートトラックの上側レールをそれぞれの下側レールにロックするのに適する１つまたは複数のロックピン（５ａ、５ｂ）を各々が有する一対のロック組立体（１ａ、１ｂ）を備える、改善されたロック構成を装備する、車両シートのための摺動デバイスに関連する。上記ロック構成が、上記ロックピンをアンロック形態まで移動させるのに適する解放組立体を有し、解放組立体が、解放部材（９）と、解放部材（９）およびそれぞれのロック組立体のロックピン（５ａ、５ｂ）に力伝達可能に接続される一対の接続部材（１７ａ、１７ｂ）とを備える。本発明によると、このような接続部材（１７ａ、１７ｂ）がそれぞれのトラックの中で完全に受けられ、解放組立体が、解放部材の回転運動をロック組立体のロックピンの線形運動へと変換するように構成される。【選択図】図３ｂ
2021526999.tif 000002
【特許請求の範囲】
【請求項１】
下側レール（３０ａ、３０ｂ）および上側レール（４０ａ、４０ｂ）を各々が備える一対の平行なトラック（２０ａ、２０ｂ）を備える、車両シートのための摺動デバイス（１０）であって、前記上側レール（４０ａ、４０ｂ）の各々がそれぞれの下側レールに対して拘束されるが前記下側レールを基準として摺動可能であり、前記下側レール（３０ａ、３０ｂ）が前記下側レールの長手方向軸に沿って配置される複数のアパーチャ（３２ａ、３２ｂ）を装備し、前記摺動デバイスが２つのロック組立体を有するロック構成を装備し、１つのロック組立体が前記トラック（２０ａ、２０ｂ）の各々のためのものであり、前記ロック組立体（１ａ、１ｂ）の各々が、それぞれの前記上側レール（４０ａ、４０ｂ）に固着される支持プレート（３ａ、３ｂ）と、前記支持プレート（３ａ、３ｂ）を通過してそれぞれの前記下側レール（３０ａ、３０ｂ）の対応するアパーチャ（３２ａ、３２ｂ）の中まで入るように構成される１つまたは複数のロックピン（５ａ、５ｂ）とを備え、前記ロック構成が、ロック形態からアンロック形態まで前記ロックピン（５ａ、５ｂ）を移動させるための解放組立体をさらに備え、前記解放組立体が、解放部材（９）と、一対の接続部材（１７ａ、１７ｂ）とを備え、１つの接続部材（１７ａ、１７ｂ）が各々のロック組立体（１ａ、１ｂ）のためのものであり、各接続部材（１１ａ、１１ｂ）が一方において前記解放部材（９）に力伝達可能に接続され、他方で前記ロック組立体の前記ロックピン（５ａ、５ｂ）に力伝達可能に接続される、摺動デバイス（１０）において、前記解放組立体が、前記解放部材（９）の回転運動を前記ロックピン（５ａ、５ｂ）の並進運動へと変換するように構成されることを特徴とする、摺動デバイス（１０）。
【請求項２】
前記接続部材（１７ａ、１１ｂ）がそれぞれの前記トラック（２０ａ、２０ｂ）の中で完全に受けられ、前記接続部材の各々がそれぞれの前記トラックの前記上側レールと前記下側レールとの間に配置される、請求項１に記載の摺動デバイス（１０）。
【請求項３】
前記解放部材が、中央グリップ部分（９ｃ）と、それぞれのトラックの中まで各々が入っている２つの実質的に平行なアーム（９ａ、９ｂ）とを備える「Ｕ」形解放用ハンドル（９）として作られ、前記解放用ハンドルの各アーム（９ａ、９ｂ）が、それぞれの前記上側レール（４０ａ、４０ｂ）に固着されるブラケット（１５ａ、１５ｂ）内に配置される腎臓形状のスロット（１３ａ、１３ｂ）の中で受けられる横方向に突き出るピン（１１ａ、１１ｂ）を装備する、請求項１または２に記載の摺動デバイス（１０）。
【請求項４】
前記接続部材（１７ａ、１７ｂ）の各々が、前記解放用ハンドルのそれぞれの前記アーム（９ａ、９ｂ）の端部分に結合されるための結合部分（１９ａ、１９ｂ）と、前記ロック組立体（１ａ、１ｂ）の前記ロックピン（５ａ、５ｂ）に係合されるための係合部分（２１ａ、２１ｂ）とを備える、請求項３に記載の摺動デバイス（１０）。
【請求項５】
前記接続部材の前記係合部分が、前記ロック組立体の前記支持プレート（３ａ、３ｂ）の上方に配置される係合プレート（２１ａ、２１ｂ）として作られる、請求項４に記載の摺動デバイス（１０）。
【請求項６】
前記係合プレート（２１ａ、２１ｂ）の各々が、４つの棒からなる連結部により、また好適には平行四辺形の連結部により、それぞれの前記支持プレート（３ａ、３ｂ）に接続される、請求項５に記載の摺動デバイス（１０）。
【請求項７】
前記４つの棒からなる連結部が、第１の枢動ピン（２５ａ、２５ｂ）により第１の端部のところで前記支持プレートに枢動可能に接続されて第２の枢動ピン（２７ａ、２７ｂ）により反対の第２の端部のところで前記係合プレートに枢動可能に接続される第１の接合部（２３ａ、２３ｂ）を備え、第３の枢動ピン（３１ａ、３１ｂ）により第１の端部のところで前記支持プレートに枢動可能に接続されて第４の枢動ピン（３３ａ、３３ｂ）により反対の第２の端部のところで前記係合プレートに枢動可能に接続される第２の接合部（２９ａ、２９ｂ）をさらに備える、請求項６に記載の摺動デバイス（１０）。
【請求項８】
前記係合プレート（２１ａ、２１ｂ）の各々が窓を装備し、前記ロックピン（５ａ、５ｂ）が前記窓を通過し、前記ロックピンの各々が外側に延在する径方向カラー（３９ａ、３９ｂ）を装備し、前記係合プレートの前記窓の幅が前記ロックピンの幅より大きいが前記ロックピンの幅と前記径方向カラーの幅との合計より小さい、請求項５から７までのいずれか一項に記載の摺動デバイス（１０）。
【請求項９】
前記径方向カラー（３９ａ、３９ｂ）が、前記下側レールの前記アパーチャの中に前記ロックピンを完全に挿入するときに前記係合プレート（２１ａ、２１ｂ）に実質的に当接されることになるように、前記ロックピン（５ａ、５ｂ）のボディ上に配置される、請求項８に記載の摺動デバイス（１０）。
【請求項１０】
前記支持プレート（３ａ、３ｂ）の各々がオービタルリベッティングによりそれぞれの前記上側レール（４０ａ、４０ｂ）に接続される、前記請求項のいずれか一項に記載の摺動デバイス（１０）。
【請求項１１】
前記ロックピン（５ａ、５ｂ）が、ばね（７ａ、７ｂ）により、前記下側レールの前記アパーチャ（３２ａ、３２ｂ）の方に付勢される、前記請求項のいずれか一項に記載の摺動デバイス（１０）。
【発明の詳細な説明】
【技術分野】
【０００１】
[0001]本発明は、改善されたロック構成を装備する、車両シートのための摺動デバイスに関する。
[0002]より詳細には、本発明は、コンパクトな構成および改善された信頼性を有するロック構成を装備する、車両シートのための摺動デバイスに関する。
【背景技術】
【０００２】
[0003]車両シートは、一般に、シートクッションを前方方向および後ろ方向に押したりまたは引いたりするための摺動機能と、シートクッションの高さを調整するための高さ調整機能と、シートクッションを基準としてシートバックレストの傾きを調整するためのリクライニング機能とを有する。
【０００３】
[0004]上記の摺動機能は、一般に、車両フロアに取り付けられる下側レールおよび車両シートに取り付けられる上側レールを各々が備える一対の平行なトラックを備える摺動デバイスによって実装され、ここでは上側レールが下側レールに対して拘束されるが上記下側レールを基準として摺動することができる。
【０００４】
[0005]摺動デバイスが、下側レールを基準として上側レールが移動するのを可能にする／防止するためのロック構成をさらに備える。このようなロック構成が通常はロック形態にあり、ロック形態ではロック構成が下側レールを基準として上側レールが摺動するのを防止し、それにより車両フロアを基準としてシートが誤って変位させられるのを回避する。
【０００５】
[0006]このようなロック構成は、通常、一対のロック組立体を備え、１つのロック組立体が各々のトラックのためのものである。
[0007]摺動デバイスが、下側レールを基準として上側レールが自由に移動することができるようなアンロック形態までロック構成のロック組立体を移動させる場合に使用者によって使用され得る解放部材をさらに装備し、その結果、車両フロアを基準としたシートの位置が調整され得る。このような解放部材が、例えば、２つの実質的に平行なアームを有する「Ｕ」形ハンドルまたはタオルバーとして作られ得、平行なアームを有する「Ｕ」形ハンドルまたはタオルバーの端部分がそれぞれのロック組立体をそれらのアンロック形態まで移動させるためにそれぞれのロック組立体に同時に作用するように構成される。
【０００６】
[0008]上側レールと下側レールと間での積極的な係合を実現することを目的とするような摺動デバイスが当技術分野から知られており、各トラックの下側レールが、上記下側レールの長手方向軸に沿って位置合わせされて好適には互いから均等に離間される一連のアパーチャを装備し、各ロック組立体がそれぞれの上側レールに接続され、下側レールのそれぞれのアパーチャの中に入って上記アパーチャの縁部に係合されるように構成される１つまたは複数のロックピンを備える。
【０００７】
[0009]好適には、複数のロックピンが設けられ、上記ロックピンのサイズ、上記ロックピンの間の距離、下側レール内のアパーチャのサイズ、および上記アパーチャの間の距離が、少なくとも１つのロックピンを対応するアパーチャに常に位置合わせするように、選択され、その結果、この少なくとも１つのロックピンが上記アパーチャの中まで入って上記アパーチャの縁部に係合され得るようになる。
【０００８】
[0010]最も好適には、上記ロックピンのサイズ、上記ロックピンの間の距離、下側レール内のアパーチャのサイズ、および上記アパーチャの間の距離が、少なくとも第１のロックピンを対応するアパーチャの中まで入れてその対応するアパーチャの縁部の前方側に係合させるように位置決めするように、および少なくとも第２のロックピンを対応するアパーチャの中まで入れてその対応するアパーチャの縁部の後方側に係合させるように位置決めするように、選択され、それにより「チャックレス」の係合が実現される。
【０００９】
[0011]このようなロックピンが、通常では、例えばばねにより、ロック形態まで付勢されており、ロック形態ではロックピンの少なくとも一部が下側レールのそれぞれのアパーチャに係合される。
【００１０】
[0012]車両フロアを基準として車両シートの位置を調整することを目的としてロック組立体をそれらのアンロック形態まで移動させるために、解放部材（解放用タオルバーまたはハンドルなど）が設けられ、この解放部材がそれぞれの接続部材に作用し、１つの接続部材が各々のロック組立体のためのものであり、上記接続部材がさらに、ロックピンをアンロック形態まで移動させるためにそれぞれのロック組立体のロックピンに作用し、アンロック形態ではロックピンがそれぞれの下側レールのアパーチャから外される。
【００１１】
[0013]この目的のために、ロックピンが一般に拡大ヘッドを装備し、接続部材が、下側レールのアパーチャから上記ピンを引き抜くためにピンヘッドに係合されるように適合されるフォーク形状の要素を装備する。
【００１２】
[0014]車両シートのための摺動デバイスのためのこのようなロック構成は、例えば、文献、米国特許出願公開第２００３／００６３５５号、米国特許第７９８０５２５号、および米国特許第６６３７７１２号に開示されている。
【００１３】
[0015]しかし、上記の文献で開示される種類のロック構成は複数の欠陥を有する。
[0016]一つには、既知のロック構成では、解放部材をロック組立体に接続する接続部材が、部分的にまたは完全に、摺動デバイスのトラックの外側に配置される、ということがある。
【００１４】
[0017]これにより、摺動デバイスを設計するときに上記接続部材を受けるための十分な空間を提供することが必要となる。
[0018]さらに、接続部材が少なくとも部分的に摺動デバイスのトラックの外側に配置されることを理由として、このような接続部材がダストおよび土に対して露出され、ダストおよび土がこれらの接続部材の可動部品の間に蓄積する可能性があり、それにより接続部材の異常を発生させる可能性がある。また、このようなダストおよび土は摺動デバイスのトラックの中まで入る可能性があり、ロックピンのそれらのロック形態からそれらのアンロック形態までのおよびその逆の移動に干渉する可能性がある。通常の異常の問題には、解放の労力の増大、摺動の労力の増大、および騒音問題が含まれ、それにより使用者の不満につながる可能性がある。
【００１５】
[0019]２つ目として、既知のロック構成では、解放部材が、ロック形態からアンロック形態までロックピンを移動させることを目的として枢動軸を中心として接続部材を回転させるように設計され：接続部材を回転させるとき、上記接続部材のフォーク形状の要素が円弧形状の経路に沿って上方に移動してそれによりロックピンのヘッドに係合されて上記ロックピンを持ち上げ、それにより対応する下側レールのアパーチャから上記ロックピンを外す、ということがある。接続部材のフォーク形状の要素が円弧形状の経路に沿って移動するとき、ロックピンがやはり円弧形状の経路に沿って移動することになり、これが大きい問題を伴う可能性がある。
【００１６】
[0020]その結果、ロックピンの移動中、ロックピンが下側レールのそれぞれのアパーチャの縁部に接触して動かなくなる可能性があり、それによりそれぞれのロック組立体が動きをとれなくなる。
【００１７】
[0021]また、円弧形状の経路に沿って移動することにより、ロックピンのストロークの長さが制限され、それにより、解放組立体の接続部材によって作動されるときにロックピンが下側レールのアパーチャから出るように正確に移動するのを保証するためのマージンがわずかにしか与えられないことになる。
【００１８】
[0022]また、ロック構成を設計するとき、接続部材のおよびロックピンの回転運動のための十分な空間が提供される必要がある。
【発明の概要】
【発明が解決しようとする課題】
【００１９】
[0023]したがって、本発明の主要な目的は、上で言及した欠陥を克服するのを可能にする、車両シートのための摺動デバイスを提供することである。
[0024]より具体的には、本発明の主要な目的は、コンパクトな構造を有するおよび高い信頼性を呈する改善されたロック構成を装備する、車両シートのための摺動デバイスを提供することである。
【課題を解決するための手段】
【００２０】
[0025]これらのおよび他の目的が、添付の特許請求の範囲で特許請求される摺動デバイスによって達成される。
[0026]本発明は、車両フロアに取り付けられることを意図される下側レールと、車両シートに取り付けられて上記下側レールに摺動可能に設置されることを意図される上側レールとを各々が有する一対の平行なトラックを備える、車両シートのための摺動デバイスに関連し、各下側レールが複数のアパーチャを備え、複数のアパーチャが上記下側レールの長手方向軸に沿って互いに位置合わせされて互いから等間隔に離間される。
【００２１】
[0027]摺動デバイスが、上記下側レールを基準とした上記上側レールの移動を選択的に可能にする／防止するための、各トラックに付随するロック組立体を備えるロック構成をさらに備える。各ロック組立体がそれぞれの上側レールに接続され、それぞれの下側レールの対応するアパーチャの中まで入るようにおよび上記アパーチャの縁部に係合されるように構成される１つまたは複数のロックピンを備え、上記ロックピンが例えばばね手段によりロック形態まで付勢されている。
【００２２】
[0028]本発明の好適な実施形態によると、各ロック組立体が複数のロックピンを備える。本発明の特に好適な実施形態によると、このようなロックピンが、下側レールを基準とする上側レールの任意の位置において、それぞれの下側レールの対応するアパーチャに対して少なくとも１つのロックピンを位置合わせして少なくとも１つのロックピンを上記アパーチャの中に入れて上記アパーチャの縁部に係合させるのを可能にするように、サイズ決定および配置される。
【００２３】
[0029]ロック構成が、それぞれの下側レールを基準としたトラックの上側レールの移動を防止するロック形態から、それぞれの下側レールを基準とした上記上側レールの移動を可能にするアンロック形態へと、上記ロック組立体を同時に切り替えるための解放組立体をさらに装備する。
【００２４】
[0030]上記解放組立体が、解放部材と、一対の接続部材とを備え、１つの接続部材が各々のロック組立体のためのものであり、上記接続部材の各々が一方において解放部材に力伝達可能に接続され、他方でそれぞれのロック組立体のロックピンに力伝達可能に接続される。
【００２５】
[0031]したがって、使用者が解放部材に力を加えるとき、この力が解放部材から接続部材に伝達され、さらに上記接続部材からそれぞれのロック組立体のロックピンに伝達され、それにより上記ロックピンをそれらのロック形態からそれらのアンロック形態へと移動させる。
【００２６】
[0032]本発明によると、このような接続部材がそれぞれのトラックの中で完全に受けられ、解放組立体が、解放部材の回転運動をロック組立体のロックピンの線形運動へと変換するように構成される。
【００２７】
[0033]この構成によりコンパクトな構造を得ることが可能となり、それにより、解放組立体の接続部材が少なくとも部分的にそれぞれのトラックの外側に配置されるような従来の解決策で提案される外部にある解放システムと比較して、摺動デバイスを実装することにおいてより有利になる。
【００２８】
[0034]さらに、ロックピンの概略の並進運動により、ロックピンが下側レールのアパーチャの縁部に接触して動かなくなる危険が回避され、それによりロック組立体が動きをとれなくなる危険が回避される。
【００２９】
[0035]また、従来のロック構成と比較してロックピンのストロークの長さが増大され得、下側レールのアパーチャからロックピンが正確に外れることが保証される。
[0036]本発明の好適な実施形態によると、解放部材が、中央グリップ部分と、それぞれのトラックの中まで各々が入っている２つの実質的に平行なアームとを有する「Ｕ」形ハンドルとして作られる。
【００３０】
[0037]この好適な実施形態によると、解放用ハンドルの各アームが腎臓形状のスロットの中で受けられる横方向に突き出るピンを装備し、その結果、解放用ハンドルのグリップ部分の回転運動が、上記解放用ハンドルのアームの端部分の並進運動、つまり上記解放用ハンドルの上記アームの端部分の垂直方向の並進運動へと変換される。
【００３１】
[0038]この好適な実施形態によると、各接続部材が、解放用ハンドルのそれぞれのアームの端部分に結合されるための結合部分と、それぞれのロック組立体のロックピンに係合されるための係合部分とを備える。
【００３２】
[0039]特に好適な実施形態によると、各ロック組立体が、それぞれのトラックの上側レールに固着される支持プレートを備え、ロックピンがこの支持プレートを通過するように配置され、各接続部材の係合部分が、ロックピンがそこを通過するように配置されるところのプレートとして成形され、各接続部材のプレート形状の係合部分が、４つの棒からなる連結部により、また好適には平行四辺形の連結部により、対応するロック組立体の支持プレートに接続される。
【００３３】
[0040]本発明の好適な実施形態によると、ロックピンが横方向に突出するペグを装備し、接続部材のプレート形状の係合部分が、ロックピンの幅（直径）より大きいがロックピンの幅と突出ペグの長さとの合計より小さい幅を有する窓を備え、その結果、ばねプレートの駆動部分の窓の縁部が、ロックピンをそれらのアンロック形態まで移動させるためにこれらのペグに係合され得る。
【００３４】
[0041]本発明の代替の好適な実施形態によると、横方向の突出するペグが、ロックピンのボディ上に設けられる外側に延在する径方向カラーに置き換えられる。
[0042]添付図を参照する非限定の例として与えられる本発明の好適な実施形態の詳細な説明から、本発明の別の特徴および利点がより明らかとなる。
【図面の簡単な説明】
【００３５】
【図１】[0043]本発明による摺動デバイスを示す斜視図である。
【図２ａ】[0044]第１のロック形態で示される、線ＩＩ−ＩＩに沿う、図１の摺動デバイスを示す断面図である。
【図２ｂ】[0045]第２のアンロック形態の図２ａの摺動デバイスを示す図である。
【図３ａ】[0046]第１のロック形態で示される、反対側の視点の、線ＩＩ−ＩＩに沿う、図１の摺動デバイスを示す断面図である。
【図３ｂ】[0047]第２のアンロック形態の図３ａの摺動デバイスを示す図である。
【図４ａ】[0048]第１のロック形態で示される、図１の摺動デバイスの接続部材を示す斜視切欠図である。
【図４ｂ】[0049]第２のアンロック形態の図４ａの接続部材を示す図である。
【発明を実施するための形態】
【００３６】
[0050]図１を参照すると、本発明による摺動デバイス１０が示されている。
[0051]それ自体が既知である手法で、摺動デバイス１０が一対の平行なトラック２０ａ、２０ｂを備え、各トラックが、車両フロアに取り付けられることを意図される下側レール３０ａ、３０ｂと、車両シートのフレームに取り付けられることを意図される上側レール４０ａ、４０ｂとを備える。
【００３７】
[0052]各上側レール４０ａ、４０ｂがそれぞれの下側レール３０ａ、３０ｂに対して拘束されるが、上記下側レールを基準として摺動することができる。
[0053]トラック２０ａ、２０ｂの下側レールを基準とした上側レールの摺動運動を選択的に可能にする／防止するために、ロック構成が提供される。上記ロック構成が２つのロック組立体を備え、１つのロック組立体が各々のトラック２０ａ、２０ｂのためのものである。
【００３８】
[0054]上記ロック組立体のうちの１つのロック組立体を例えば図４ａ〜４ｂで詳細に見ることができる。他のロック組立体が図４ａ〜４ｂに示されるロック組立体と等しいことを意図される。
【００３９】
[0055]各ロック組立体１ａ、１ｂが、それぞれの上側レール４０ａ、４０ｂに固着される支持プレート３ａ、３ｂを備える。
[0056]支持プレートが、例えば、それぞれの上側レール４０ａ、４０ｂに溶接および／またはステーキング（ｓｔａｋｅ）され得る。しかし、示される実施形態では、支持プレート３ａ、３ｂが、有利には、オービタルリベッティングによりそれぞれの上側レールに固着される。この目的のため、支持プレートの中央部分が下側レールおよび上側レールに実質的に平行であり、対して上記支持プレートの側方部分が下側レールおよび上側レールに対して垂直に延在するように湾曲しており、上側レール４０ａ、４０ｂに係合されるオービタルリベット２５ａ、２５ｂのところで終端する。
【００４０】
[0057]支持プレート３ａ、３ｂがオービタルリベッティングによりそれぞれの上側レールに固着されることを理由として、溶接が必要ではなく、摺動デバイスの構成要素が、ダメージまたは変形の原因となる可能性がある高温加工プロセスを一切受けない。
【００４１】
[0058]各ロック組立体１ａ、１ｂが、下側レールに対して上側レールをロックするためにおよび上記下側レールを基準とした上記上側レールのいかなる移動も防止するために、それぞれの上側レール４０ａ、４０ｂ内に設けられるアパーチャ４２ａ、４２ｂを通過して支持プレート３ａ、３ｂ内に設けられる貫通孔３７ａ、３７ｂを通過してそれぞれの下側レール３０ａ、３０ｂ内に設けられるアパーチャ３２ａ、３２ｂの中に入るように構成される１つまたは複数のロックピン５ａ、５ｂ（示される実施形態では、３つ）をさらに備える。
【００４２】
[0059]ロックピン５ａ、５ｂが、ロックピンを下側レールの上記アパーチャの中に挿入するのを容易にするために、円錐形先端部または円錐台形先端部のところで終端する概略円筒形ボディを有する。
【００４３】
[0060]ロックピン５ａ、５ｂがそれらのロック形態まで付勢されており、このロック形態ではロックピン５ａ、５ｂのうちの少なくとも一部がそれぞれの下側レールの対応するアパーチャの中に入っている。この目的のために、螺旋ばね７ａ、７ｂが各ロックピン５ａ、５ｂのボディの周りに巻き付けられ、それによりこれらのロックピンを下側レールの方へと下方に付勢する。
【００４４】
[0061]それ自体が既知である手法で、ロックピン５ａ、５ｂおよび下側レール内に設けられる対応するアパーチャ３２ａ、３２ｂが、下側レールを基準とする上側レールの任意の位置において、それぞれの下側レールの対応するアパーチャに対して上記ロックピンのうちの少なくとも１つのロックピン（好適には、ロックピンのうちの２つのロックピン）を位置合わせしてこれらのアパーチャの中に入れることになるように、サイズ決定および配置される。
【００４５】
[0062]車両フロアを基準としてシートの位置を調整するのを使用者が行うのを可能にするために、本発明による摺動デバイスのロック構成が、上記ロック形態からアンロック形態までロックピン５ａ、５ｂを移動させるための解放組立体をさらに備え、アンロック形態では、すべてのロックピンがそれぞれの下側レールのアパーチャから引き抜かれており、それにより上側レールが下側レールを基準として摺動することが可能となる。
【００４６】
[0063]図２ａ、２ｂおよび３ａ、３ｂに示されるように、解放組立体が、概して、解放部材９と、一対の接続部材１７ａ、１７ｂとを備え、１つの接続部材が各々のロック組立体１ａ、１ｂのためのものであり、各接続部材が一方において解放部材９に力伝達可能に接続され、他方でそれぞれのロック組立体のロックピン５ａ、５ｂに力伝達可能に接続される。
【００４７】
[0064]本発明によると、解放組立体が、解放部材の回転運動をロックピンの垂直方向の並進運動へと変換することになるように、構成される。
[0065]示される実施形態では、解放部材が「Ｕ」形解放用ハンドルまたはタオルバー９として作られており、中央グリップ部分９ｃおよび２つの実質的に平行なアーム９ａ、９ｂを備え、２つの実質的に平行なアーム９ａ、９ｂの各々がそれぞれのトラック２０ａ、２０ｂの中まで入っている。
【００４８】
[0066]解放用ハンドルの各アーム９ａ、９ｂが、それぞれの上側レール４０ａ、４０ｂに固着されるブラケット１５ａ、１５ｂ内に配置される腎臓形状のスロット１３ａ、１３ｂの中で受けられる横方向に突き出るピン１１ａ、１１ｂを装備する。
【００４９】
[0067]上記ピン１１ａ、１１ｂが上記腎臓形状のスロット１３ａ、１３ｂに係合されることにより、使用者が解放用ハンドルのグリップ部分９ｃを作動させるとき、上記グリップ部分９ｃの回転運動が上記解放用ハンドルのアーム９ａ、９ｂの端部分の並進運動つまり上記解放用ハンドルのアーム９ａ、９ｂの上記端部分の垂直上向き方向の並進運動へと変換される。
【００５０】
[0068]示される実施形態では、各接続部材１７ａ、１７ｂが、解放用ハンドルのそれぞれのアーム９ａ、９ｂの端部分に結合されるための結合部分１９ａ、１９ｂを備える。示される実施形態では、接続部材の結合部分１９ａ、１９ｂが中空部分として作られ、解放用ハンドルの対応するアームの端部分がこの中空部分を通る形で嵌め込まれる。
【００５１】
[0069]各接続部材１７ａ、１７ｂが、それぞれのロック組立体１ａ、１ｂのロックピン５ａ、５ｂに係合されてロックピン５ａ、５ｂをロック位置からアンロック位置まで移動させるための係合部分２１ａ、２１ｂをさらに備える。
【００５２】
[0070]示される実施形態では、係合部分が、ロック組立体の支持プレート３ａ、３ｂの上方に配置される係合プレート２１ａ、２１ｂとして作られる。
[0071]好適には、係合プレートが、実質的に、上記支持プレートの後方端部から延在して上記支持プレートの前方端部を越えて突出し、上記支持プレートが、これに対応する形で、上記係合プレートを通過させるためのチャンネルを装備する。
【００５３】
[0072]係合プレート２１ａ、２１ｂが窓を装備し、ロックピン５ａ、５ｂがこの窓を通過し、その結果、ロックピン５ａ、５ｂが下側レール３０ａ、３０ｂのアパーチャ３２ａ、３２ｂに到達することができる。
【００５４】
[0073]係合プレート２１ａ、２１ｂが４つの棒からなる連結部により下にある支持プレート３ａ、３ｂに接続される。より具体的には、係合プレート２１ａ、２１ｂが、好適には、平行四辺形の連結部により、下にある支持プレート３ａ、３ｂに接続される。
【００５５】
[0074]このような平行四辺形の連結部が、第１の枢動ピン２５ａ、２５ｂにより第１の端部のところで上記支持プレートに枢動可能に接続されて第２の枢動ピン２７ａ、２７ｂにより反対の第２の端部のところで上記係合プレートに枢動可能に接続される第１の接合部２３ａ、２３ｂを備え、第３の枢動ピン３１ａ、３１ｂにより第１の端部のところで上記支持プレートに枢動可能に接続されて第４の枢動ピン３３ａ、３３ｂにより反対の第２の端部のところで上記係合プレートに枢動可能に接続される第２の接合部２９ａ、２９ｂをさらに備える。第１の接合部２３ａ、２３ｂおよび第２の接合部２９ａ、２９ｂが実質的に等しい長さを有し、支持プレート３ａ、３ｂ上での上記第１および第２の接合部の接続点の間の距離が、係合プレート２１ａ、２１ｂ上での上記第１および第２の接合部の接続点の間の距離と実質的に等しく、その結果、平行四辺形が形成される。
【００５６】
[0075]図４ａおよび４ｂでより良好に見ることができるように、係合プレート２１ａ、２１ｂによりロックピン５ａ、５ｂを移動させるのを可能にするために、このようなロックピンが外側に延在する径方向カラー３９ａ、３９ｂを装備する。
【００５７】
[0076]係合プレート２１ａ、２１ｂ内の窓が、その幅を、ロックピン５ａ、５ｂの幅（直径）より大きくするが、上記ロックピンの幅と径方向カラー３９ａ、３９ｂの幅との合計より小さくするように、設計される。
【００５８】
[0077]上記径方向カラー３９ａ、３９ｂが、下側レール３０ａ、３０ｂのアパーチャ３２ａ、３２ｂの中にロックピンを完全に挿入する（ロック形態）ときに係合プレート２１ａ、２１ｂに実質的に当接されることになるように、ロックピン５ａ、５ｂのボディ上に配置される。
【００５９】
[0078]代替的実施形態では、径方向カラーが、ロックピンのボディから横方向に延在する１つまたは複数のペグに置き換えられてよい。
[0079]本発明による摺動デバイスのロック構成の動作は以下のように概説され得る。
【００６０】
[0080]休止状態では、ばね７ａ、７ｂが、ロック組立体１ａ、１ｂのロックピン５ａ、５ｂを下側レール３０ａ、３０ｂのアパーチャ３２ａ、３２ｂの方に付勢し、上記ロックピンの少なくとも一部がそれぞれの下側レールの対応するアパーチャの中まで入る（図２ａ、３ａ、４ａを参照）。このようなロック形態では、上側レール４０ａ、４０ｂが下側レール３０ａ、３０ｂを基準として摺動することができない。
【００６１】
[0081]使用者が車両フロアを基準とした車両シートの位置を調整することを望む場合、使用者が解放用ハンドル９の中央グリップ部分９ｃを上方に回転させることにより解放用ハンドル９に力を加える。
【００６２】
[0082]グリップ部分９ｃが回転させられると、解放用ハンドルのアーム９ａ、９ｂのピン１１ａ、１１ｂがそれぞれの腎臓形状のスロット１３ａ、１３ｂに沿って摺動し、上記接続部材の結合部分１９ａ、１９ｂを通して、上記解放用ハンドルの上記アームの端部分から接続部材１７ａ、１７ｂに運動が伝達される。
【００６３】
[0083]その結果、接続部材の係合部分（係合プレート）２１ａ、２１ｂが上方に移動し、上記係合部分２１ａ、２１ｂの窓の縁部がそれぞれのロック組立体のロックピン５ａ、５ｂの径方向カラー３９ａ、３９ｂに係合される。
【００６４】
[0084]ばね７ａ、７ｂの弾性抵抗に打ち勝つことにより、接続部材の係合部分２１ａ、２１ｂがロックピン５ａ、５ｂを持ち上げ、その結果、ロックピン５ａ、５ｂが、それぞれの下側レール３０ａ、３０ｂのアパーチャ３２ａ、３２ｂから外されるまで上方に移動する（それぞれの上側レールのアパーチャ４２ａ、４２ｂによって誘導される）（図２ｂ、３ｂ、４ｂを参照）。このようなアンロック形態では、上側レール４０ａ、４０ｂが下側レール３０ａ、３０ｂを基準として摺動することができ、車両シートの位置が調整され得る。
【００６５】
[0085]接続部材の係合部分２１ａ、２１ｂとそれぞれの支持プレート３ａ、３ｂとの間に４つの棒からなる連結部（平行四辺形の連結部）を提供することにより、ロックピンのストロークが保証され、接続部材のスティフネスつまり接続部材の係合部分のスティフネスに左右されない、ことに留意されたい。
【００６６】
[0086]使用者が解放用ハンドル９を解放するとき、ばね７ａ、７ｂがロックピン５ａ、５ｂをそれぞれの下側レール３０ａ、３０ｂの方へと後方に付勢し、上記ロックピンの少なくとも一部が上記下側レールの対応するアパーチャの中まで入り、それにより下側レールを基準とした新たな所望の位置で上側レールをロックする。
【００６７】
[0087]本発明による摺動デバイスの複数の利点が当業者には明らかとなろう：
[0088]  −  解放部材をロック組立体に接続する接続部材が、上側レールと下側レールとの間で摺動デバイスのトラックの内部に完全に配置され、それにより非常にコンパクトなデザインが得られる；
[0089]  −  接続部材が摺動デバイスのトラックの内部に完全に配置されることにより、接続部材がダストおよび土に対して露出されない；
[0090]  −  ロックピンをそのロック形態からそのアンロック形態へとおよびその逆で切り替えるときにロックピンが実質的に直線の経路に沿って移動することを理由として、動きをとれなくなる危険が回避される；
[0091]  −  実質的に直線の経路に沿ってロックピンが移動することが非常にコンパクトなデザインを得るのに寄与する；
[0092]  −  ４つの棒からなる連結部を使用する場合、ロックピンのストロークが保証され、接続部材のスティフネスに左右されない。
【００６８】
[0093]本発明の好適な実施形態の上記の説明は単に例として与えられるものであり、添付の特許請求の範囲によって定義される本発明の範囲から逸脱することなく、当業者の理解可能な範囲内にある複数の変形形態および修正形態が考えられる。
【図１】
2021526999.tif 000003
【図２ａ】
2021526999.tif 000004
【図２ｂ】
2021526999.tif 000005
【図３ａ】
2021526999.tif 000006
【図３ｂ】
2021526999.tif 000007
【図４ａ】
2021526999.tif 000008
【図４ｂ】
2021526999.tif 000009
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
下側レール（３０ａ、３０ｂ）および上側レール（４０ａ、４０ｂ）を各々が備える一対の平行なトラック（２０ａ、２０ｂ）を備える、車両シートのための摺動デバイス（１０）であって、
前記上側レール（４０ａ、４０ｂ）の各々がそれぞれの下側レールに対して拘束されるが前記下側レールを基準として摺動可能であり、
前記下側レール（３０ａ、３０ｂ）が前記下側レールの長手方向軸に沿って配置される複数のアパーチャ（３２ａ、３２ｂ）を備え、
前記摺動デバイスが２つのロック組立体を有するロック構成を装備し、
１つのロック組立体が前記トラック（２０ａ、２０ｂ）の各々のためのものであり、
前記ロック組立体（１ａ、１ｂ）の各々が、それぞれの前記上側レール（４０ａ、４０ｂ）に固着される支持プレート（３ａ、３ｂ）と、前記支持プレート（３ａ、３ｂ）を通過してそれぞれの前記下側レール（３０ａ、３０ｂ）の対応するアパーチャ（３２ａ、３２ｂ）の中まで入るように構成される１つまたは複数のロックピン（５ａ、５ｂ）と、を備え、
前記ロック構成が、ロック形態からアンロック形態まで前記ロックピン（５ａ、５ｂ）を移動させるための解放組立体をさらに備え、
前記解放組立体が、解放部材（９）と、一対の接続部材（１７ａ、１７ｂ）と、を備え、
１つの接続部材（１７ａ、１７ｂ）が各々のロック組立体（１ａ、１ｂ）のためのものであり、
各接続部材（１１ａ、１１ｂ）が一方において前記解放部材（９）に力伝達可能に接続され、他方で前記ロック組立体の前記ロックピン（５ａ、５ｂ）に力伝達可能に接続され、
前記解放組立体が、前記解放部材（９）の回転運動を前記ロックピン（５ａ、５ｂ）の並進運動へと変換するように構成され、
前記解放部材が、中央グリップ部分（９ｃ）と、それぞれのトラックの中まで各々が入っている２つの実質的に平行なアーム（９ａ、９ｂ）とを備える「Ｕ」形解放用ハンドル（９）として形成され、
前記解放用ハンドルの各アーム（９ａ、９ｂ）が、それぞれの前記上側レール（４０、４０ｂ）に固着されるブラケット（１５ａ、１５ｂ）内に配置される腎臓形状のスロット（１３ａ、１３ｂ）の中で受けられる横方向に突き出るピン（１１ａ、１１ｂ）を備える、
ことを特徴とする、摺動デバイス（１０）。
【請求項２】
前記接続部材（１７ａ、１１ｂ）がそれぞれの前記トラック（２０ａ、２０ｂ）の中で完全に受けられ、
前記接続部材の各々がそれぞれの前記トラックの前記上側レールと前記下側レールとの間に配置される、
請求項１に記載の摺動デバイス（１０）。
【請求項３】
前記接続部材（１７ａ、１７ｂ）の各々が、
前記解放用ハンドルのそれぞれの前記アーム（９ａ、９ｂ）の端部分に結合されるための結合部分（１９ａ、１９ｂ）と、
前記ロック組立体（１ａ、１ｂ）の前記ロックピン（５ａ、５ｂ）に係合されるための係合部分（２１ａ、２１ｂ）と、
を備える、請求項１に記載の摺動デバイス（１０）。
【請求項４】
前記接続部材の前記係合部分が、前記ロック組立体の前記支持プレート（３ａ、３ｂ）の上方に配置される係合プレート（２１ａ、２１ｂ）として作られる、
請求項３に記載の摺動デバイス（１０）。
【請求項５】
前記係合プレート（２１ａ、２１ｂ）の各々が、４つの棒からなる連結部により、また好適には平行四辺形の連結部により、それぞれの前記支持プレート（３ａ、３ｂ）に接続される、
請求項４に記載の摺動デバイス（１０）。
【請求項６】
前記４つの棒からなる連結部が、第１の枢動ピン（２５ａ、２５ｂ）により第１の端部のところで前記支持プレートに枢動可能に接続されて第２の枢動ピン（２７ａ、２７ｂ）により反対の第２の端部のところで前記係合プレートに枢動可能に接続される第１の接合部（２３ａ、２３ｂ）を備え、第３の枢動ピン（３１ａ、３１ｂ）により第１の端部のところで前記支持プレートに枢動可能に接続されて第４の枢動ピン（３３ａ、３３ｂ）により反対の第２の端部のところで前記係合プレートに枢動可能に接続される第２の接合部（２９ａ、２９ｂ）をさらに備える、
請求項５に記載の摺動デバイス（１０）。
【請求項７】
前記係合プレート（２１ａ、２１ｂ）の各々が窓を装備し、
前記ロックピン（５ａ、５ｂ）が前記窓を通過し、
前記ロックピンの各々が外側に延在する径方向カラー（３９ａ、３９ｂ）を装備し、
前記係合プレートの前記窓の幅が前記ロックピンの幅より大きいが前記ロックピンの幅と前記径方向カラーの幅との合計より小さい、
請求項４に記載の摺動デバイス（１０）。
【請求項８】
前記径方向カラー（３９ａ、３９ｂ）が、前記下側レールの前記アパーチャの中に前記ロックピンを完全に挿入するときに前記係合プレート（２１ａ、２１ｂ）に実質的に当接されることになるように、前記ロックピン（５ａ、５ｂ）のボディ上に配置される、
請求項７に記載の摺動デバイス（１０）。
【請求項９】
前記支持プレート（３ａ、３ｂ）の各々がオービタルリベッティングによりそれぞれの前記上側レール（４０ａ、４０ｂ）に接続される、
請求項１〜８のいずれか一項に記載の摺動デバイス（１０）。
【請求項１０】
前記ロックピン（５ａ、５ｂ）が、ばね（７ａ、７ｂ）により、前記下側レールの前記アパーチャ（３２ａ、３２ｂ）の方に付勢される、
請求項１〜９のいずれか一項に記載の摺動デバイス（１０）。
【国際調査報告】
2021526999.tif 000010
2021526999.tif 000011